(57)【要約】【課題】プレゼンタの目の近傍への投影光を選択的に減少させることが可能なプレゼンテーションシステムを提供する。【解決手段】信号波を放射する信号源５と、プロジェクタ１からの投影映像を映すスクリーン３の底辺に沿って横方向に配列された、信号波を感知する複数の第１センサ６と、複数の第１センサ６のうち、スクリーン３の前に移動したプレゼンタ９により信号波が遮断された第１センサ６から、プレゼンタ９のスクリーン３上での横位置を測定する測定部１２と、予め取得したプレゼンタ９の目の高さに対応するスクリーン３上の縦位置及び横位置から、スクリーン３上に投影されるプレゼンタ９の両目を含む対象領域を判定する判定部１４と、対象領域の投影光を減少させる減光データを、投影映像の映像データに付加して修正映像データを作成する作成部１６とを備える。【選択図】図１
2013025014.tif 000002
【特許請求の範囲】
【請求項１】
信号波を放射する信号源と、
プロジェクタからの投影映像を映すスクリーンの底辺に沿って横方向に配列された、前記信号波を感知する複数の第１センサと、
前記複数の第１センサのうち、前記スクリーンの前に移動したプレゼンタにより前記信号波が遮断された第１センサから、前記プレゼンタの前記スクリーン上での横位置を測定する測定部と、
予め取得した前記プレゼンタの目の高さに対応する前記スクリーン上の縦位置及び前記横位置から、前記スクリーン上に投影される前記プレゼンタの両目を含む対象領域を判定する判定部と、
前記対象領域の投影光を減少させる減光データを、前記投影映像の映像データに付加して修正映像データを作成する作成部
とを備えることを特徴とするプレゼンテーションシステム。
【請求項２】
前記スクリーンの左辺及び右辺に沿って縦方向に配列された、前記信号波を感知する複数の第２センサを更に備え、
前記目の高さは、前記複数の第２センサのうち、前記プレゼンタの移動により前記信号波が遮断された第２センサから前記測定部により測定されることを特徴とする請求項１に記載のプレゼンテーションシステム。
【請求項３】
前記目の高さは、前記プレゼンタにより登録されることを特徴とする請求項１に記載のプレゼンテーションシステム。
【請求項４】
前記目の高さのデータを格納する記憶部を更に備えることを特徴とする請求項１〜３のいずれか１項に記載のプレゼンテーションシステム。
【請求項５】
前記信号波が、赤外線又は超音波であることを特徴とする請求項１〜４のいずれか１項に記載のプレゼンテーションシステム。
【請求項６】
プレゼンタの目の高さを取得するステップと、
プロジェクタからの投影映像を映すスクリーンの底辺に沿って横方向に配列され、信号源から放射された信号波を感知する複数の第１センサのうち、前記スクリーンの前に移動した前記プレゼンタにより前記信号波が遮断された第１センサから、前記プレゼンタの前記スクリーン上での横位置を測定するステップと、
前記目の高さに対応する前記スクリーン上の縦位置及び前記横位置から、前記スクリーン上に投影される前記プレゼンタの両目を含む対象領域を判定するステップと、
前記対象領域の投影光を減少させる減光データを、前記投影映像の映像データに付加して修正映像データを作成するステップと、
前記修正映像データを前記プロジェクタに供給するステップ
とを含むことを特徴とする映像の投影方法。
【請求項７】
前記目の高さは、前記スクリーンの左辺及び右辺に沿って縦方向に配列され、前記信号波を感知する複数の第２センサのうち、前記プレゼンタの移動により前記信号波が遮断された第２センサから測定されることを特徴とする請求項６に記載の映像の投影方法。
【請求項８】
前記目の高さは、前記プレゼンタにより登録されることを特徴とする請求項６に記載の映像の投影方法。
【請求項９】
前記信号波として、赤外線又は超音波を用いることを特徴とする請求項６〜８のいずれか１項に記載の映像の投影方法。
【発明の詳細な説明】
【技術分野】
【０００１】
本発明は、プロジェクタからスクリーンに投影された映像を用いるプレゼンテーションシステム及び映像の投影方法に関する。
【背景技術】
【０００２】
会議において、視覚的に理解を深める目的で、以前よりプロジェクタからスクリーンに投影した映像を用いてプレゼンテーションが行われている。プレゼンテーションの際、プレゼンタはプロジェクタとスクリーンとの間に立って説明を行なう。そのため、プレゼンタにとっては、プロジェクタの光が眩しいという課題があった。
【０００３】
投影スクリーンとして、ホワイトボードが使用可能である。最近では、従来のホワイトボードに加えて、インタラクティブホワイトボード（以下ＩＷＢ）と呼ばれる教育用機器が商品化されている。ＩＷＢでは、プロジェクタとパソコンとを連動させて、ホワイトボード上にプロジェクタを用いて絵や文字を表示することにより、生徒の興味を引き、理解を深めることが可能である。したがって、ＩＷＢは、小中学校など比較的少人数の授業で使用されている。ＩＷＢの場合、通常のプレゼンテーションに較べて、スクリーンを兼ねるホワイトボードに近づく必要がある。そのため、プレゼンタにとってプロジェクタの光が眩しいという課題を解決する必要がある。
【０００４】
このような課題を解決するため、プロジェクタと投影スクリーンとの間にプレゼンタが位置した場合、プレゼンタに対応する部分のみの輝度が低減されるようにしたプレゼンテーションシステムが提案されている（特許文献１参照）。提案されたシステムでは、スクリーンに映し出された映像を撮影し、プロジェクタに入力される入力データと撮影した映像との差分データに基づいて、プロジェクタに入力される入力データを制御する。
【０００５】
また、投射光学系とスクリーンの間に移動体が入ったことを検出し、光出力を低減または遮断して、目を保護する装置が提案されている（特許文献２参照）。
【先行技術文献】
【特許文献】
【０００６】
【特許文献１】特開２００３−８４７４６号公報
【特許文献２】特開平４−１１１５８５号公報
【発明の概要】
【発明が解決しようとする課題】
【０００７】
特許文献１においては、影となる部分全体の照度を落としてしまうため、プレゼンタの目以外の箇所も輝度を落とすことになる。その結果、視聴者へ見せたい映像の情報が少なくなってしまう。また、プロジェクタの投影映像はプレゼンタの体にも投影される。そのため、プレゼンタが白い服を着ている場合は、差分データを正確に取り出すことは困難である。
【０００８】
特許文献２においては、投射領域に人が侵入したと判別した場合、投射映像全体の光出力を低減または遮断してしまう。したがって、スクリーンとしてＩＷＢを用いる場合、ＩＷＢの機能を生かすことはできない。
【０００９】
本発明の目的は、プレゼンタの目の近傍への投影光を選択的に減少させることが可能なプレゼンテーションシステム及び映像の投影方法を提供することにある。
【課題を解決するための手段】
【００１０】
本発明の一態様によれば、信号波を放射する信号源と、プロジェクタからの投影映像を映すスクリーンの底辺に沿って横方向に配列された、信号波を感知する複数の第１センサと、複数の第１センサのうち、スクリーンの前に移動したプレゼンタにより信号波が遮断された第１センサから、プレゼンタのスクリーン上での横位置を測定する測定部と、予め取得したプレゼンタの目の高さに対応するスクリーン上の縦位置及び横位置から、スクリーン上に投影されるプレゼンタの両目を含む対象領域を判定する判定部と、対象領域の投影光を減少させる減光データを、投影映像の映像データに付加して修正映像データを作成する作成部とを備えるプレゼンテーションシステムが提供される。
【００１１】
本発明の他の態様によれば、プレゼンタの目の高さを取得するステップと、プロジェクタからの投影映像を映すスクリーンの底辺に沿って横方向に配列され、信号源から放射された信号波を感知する複数の第１センサのうち、スクリーンの前に移動したプレゼンタにより信号波が遮断された第１センサから、プレゼンタのスクリーン上での横位置を測定するステップと、目の高さに対応するスクリーン上の縦位置及び横位置から、スクリーン上に投影されるプレゼンタの両目を含む対象領域を判定するステップと、対象領域の投影光を減少させる減光データを、投影映像の映像データに付加して修正映像データを作成するステップと、修正映像データをプロジェクタに供給するステップとを含む映像の投影方法が提供される。
【発明の効果】
【００１２】
本発明によれば、プレゼンタの目の近傍への投影光を選択的に減少させることが可能なプレゼンテーションシステム及び映像の投影方法を提供することが可能となる。
【図面の簡単な説明】
【００１３】
【図１】本発明の実施の形態に係るプレゼンテーションシステムの一例を示す外観図である。
【図２】本発明の実施の形態に係るプレゼンテーションシステムに用いるプロジェクタの他の例を示す外観図である。
【図３】本発明の実施の形態に係るプレゼンテーションシステムによる身長の測定の一例を示す概略図である。
【図４】本発明の実施の形態に係るプレゼンテーションシステムによる対象領域の設定の一例を示す概略図である。
【図５】本発明の実施の形態に係るプレゼンテーションシステムによる対象領域の設定の他の例を示す概略図である。
【図６】本発明の実施の形態に係るプレゼンテーションシステムに用いるスクリーンの他の例を示す外観図である。
【発明を実施するための形態】
【００１４】
以下図面を参照して、本発明の形態について説明する。以下の図面の記載において、同一または類似の部分には同一または類似の符号が付してある。但し、図面は模式的なものであり、装置やシステムの構成等は現実のものとは異なることに留意すべきである。したがって、具体的な構成は以下の説明を参酌して判断すべきものである。また図面相互間においても互いの構成等が異なる部分が含まれていることは勿論である。
【００１５】
又、以下に示す本発明の実施の形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された技術的範囲内において、種々の変更を加えることができる。
【００１６】
本発明の実施の形態に係るプレゼンテーションシステムは、図１に示すように、プロジェクタ１、スクリーン３、信号源５、制御ユニット１０、入力装置２０、出力装置２２を備える。スクリーン３の下端には、複数の第１センサ６が底辺に沿って横方向にピッチＰｈで配列されている。スクリーン３の左端及び右端には、それぞれ、複数の第２センサ７Ａ、７Ｂが左辺及び右辺に沿って縦方向にピッチＰｖで配列されている。制御ユニット１０は、測定部１２、判定部１４、作成部１６、出力部１７、及び記憶部１８を備える。
【００１７】
プロジェクタ１は、プレゼンタ９の操作により、スクリーン３に投影光ＰＬを照射する。スクリーン３は、プロジェクタ１から投影される映像を映す。信号源５は、スクリーン３に向かって信号波ＳＷを放射する。第１センサ６及び第２センサ７Ａ、７Ｂは、信号波ＳＷを感知する。なお、図２に示すように、信号源５をプロジェクタ１の投影レンズ５０が配置された前面に設けてもよい。
【００１８】
スクリーン３として、通常の映写幕、ホワイトボード、ＩＷＢ等が用いられる。信号波ＳＷとして、人間に認識されにくい赤外線、超音波等が用いられる。信号波ＳＷが赤外線であれば、信号源５には赤外光源を用い、第１及び第２センサ６、７Ａ、７Ｂには赤外線センサを用いる。また、信号波ＳＷが超音波であれば、信号源５には超音波音源を用い、第１及び第２センサ６、７Ａ、７Ｂには超音波センサを用いる。
【００１９】
制御ユニット１０の測定部１２は、左端の複数の第２センサ７Ａ、あるいは右端の第２センサ７Ｂのうち、プレゼンタ９の移動により信号波ＳＷが遮断された第２センサから、プレゼンタ９の目の高さを測定する。例えば、プレゼンタ９がスクリーン３の左端側からスクリーン３の前に移動する場合、図３に示すように、信号波ＳＷは、下端から第２センサ７Ａｍまでがプレゼンタ９により遮断される。第２センサ７Ａｍより高い位置の第２センサ７Ａでは、信号波ＳＷは感知され続ける。第２センサ７Ａｍの高さに対応するスクリーン３上の縦位置Ｖｈが、プレゼンタ９の目の高さとして記憶部１８に登録される。
【００２０】
また、測定部１２は、複数の第１センサ６のうち、スクリーン３の前に移動したプレゼンタ９により信号波ＳＷが遮断された第１センサから、プレゼンタ９のスクリーン３上での横位置を測定する。例えば、プレゼンタ９が、スクリーン３の前に移動して立つ。図４に示すように、プレゼンタ９により第１センサ６ｍにおいて信号波ＳＷが遮断される。第１センサ６ｍに対応するスクリーン３上の横位置Ｌｄが、プレゼンタ９の立った位置として測定される。
【００２１】
判定部１４は、図４に示すように、スクリーン３上の縦位置Ｖｈ及び横位置Ｌｄから、スクリーン３上に投影されるプレゼンタ９の両目を含む対象領域８を判定する。具体的には、図４に示す縦位置Ｖｈと横位置Ｌｄの交点Ｃは、スクリーン３上に投影されるプレゼンタ９の目の近傍の位置である。交点Ｃを中心として、プレゼンタ９の両目を含むように、例えば、プレゼンタ９の顔をほとんど含むように円形の対象領域８を設ける。
【００２２】
例えば、第１センサ６のピッチＰｈ、及び第２センサ７Ａ、７ＢのピッチＰｖがそれぞれ３０ｃｍである場合、いろいろな幅及び目の高さのプレゼンタに対応するには、対象領域８の半径を直径３０ｃｍとすればよい。また、第１センサ６のピッチＰｈ、第２センサ７Ａ、７ＢのピッチＰｖを１０ｃｍとすると、複数のセンサから体の幅と目の高さを認識する精度が向上するので、対象領域８の半径を直径２０ｃｍほどに小さくすることもできる。
【００２３】
作成部１６は、対象領域８の投影光を減少させる減光データを作成し、投影映像の映像データに付加して修正映像データを作成する。例えば、対象領域８の透過率を５０％以下に減じ、対象領域８以外は約１００％の透過率を有する減光データが作成される。
【００２４】
出力部１７は、作成部１６で作成された修正画像データをプロジェクタ１に伝達する。プロジェクタ１から投影される修正映像データでは、プレゼンタ９の目の近傍の投影光が、選択的に減少される。
【００２５】
記憶部１８は、プレゼンタ９の目の高さのデータを格納する。また、記憶部１８は、制御ユニット１０における処理や計算において、処理中や計算途中のデータを一時的に保存する。
【００２６】
制御ユニット１０は、通常のコンピュータシステムの中央処理装置（ＣＰＵ）の一部として構成すればよい。測定部１２、判定部１４、作成部１６、及び出力部１７は、それぞれ専用のハードウェアで構成しても良く、通常のコンピュータシステムのＣＰＵを用いて、ソフトウェアで実質的に等価な機能を有していても構わない。  
入力装置２０は、キーボード、マウス等の機器を指す。入力装置２０から入力操作が行われると対応するキー情報が制御ユニット１０に伝達される。出力装置２２は、モニタなどの画面を指し、液晶表示装置（ＬＣＤ）、発光ダイオード（ＬＥＤ）パネル、エレクトロルミネセンス（ＥＬ）パネル等が使用可能である。出力装置２２は、制御ユニット１０により処理される減光データや修正画像データ等のデータや対象領域の判定結果等を表示する。
【００２７】
実施の形態に係るプレゼンテーションシステムでは、プレゼンタ９のスクリーン３の前への移動により信号波が遮断される第１及び第２センサ６、７Ａ、７Ｂからプレゼンタ９の目の近傍の対象領域８が判定される。対象領域８に投影される投影光を選択的に減少させる減光データを映像データに付加することにより、プレゼンタ９が眩しさを感じずにプレゼンテーションすることができる。また、減光される対象領域８を目の近傍に選択的に設けることができ、視聴者により多くの画像情報を提示することが可能となる。また、学校の授業等において、スクリーン３としてＩＷＢを用いる場合、先生にとってプロジェクタの投影光が眩しくないため、生徒の表情が見やすくなるという利点がある。
【００２８】
なお、上述の説明では、対象領域８として円形の領域を用いている。しかし、対象領域の形状は限定されず、プレゼンタ９の目の近傍を含むような形状であればよい。例えば、図５に示すように、図４に示した縦位置Ｖｈ及び横位置Ｌｄの交点Ｃを中心とする矩形の対象領域８ａとしてもよい。例えば、第１センサ６のピッチＰｈ、第２センサ７Ａ、７ＢのピッチＰｖが３０ｃｍの場合は、対象領域８ａを縦横の寸法が３０ｃｍの正方形としてもよい。また、第１センサ６のピッチＰｈ、第２センサ７Ａ、７ＢのピッチＰｖを１０ｃｍとすると、複数のセンサから体の幅と目の高さを認識する精度が向上するので、横方向の寸法が２０ｃｍとし、縦方向の寸法が１０ｃｍの領域とすることもできる。
【００２９】
また、プレゼンタ９の目の高さのデータを予め記憶部１８に登録しておいてもよい。この場合、図６に示すように、スクリーン３の左右辺の第２センサを省略することができる。例えば、プレゼンタ９の身長Ｖｓが登録されている場合、身長Ｖｓと目の高さとの差分ｄＶを差し引いて縦位置Ｖｈとすればよい。プレゼンタ９の目の高さの誤差範囲を小さくすることができる。プレゼンタ９により信号波が遮断された第１センサ６ｍの横位置Ｌｄを測定するだけで、対象領域８を決定することが可能となる。
【００３０】
（その他の実施の形態）
上記のように、本発明の実施の形態を記載したが、この開示の一部をなす論述及び図面はこの発明を限定するものであると理解すべきではない。この開示から当業者にはさまざまな代替実施の形態、実施例及び運用技術が明らかとなろう。したがって、本発明の技術的範囲は上記の説明から妥当な特許請求の範囲に係わる発明特定事項によってのみ定められるものである。
【符号の説明】
【００３１】
１…プロジェクタ
３…スクリーン
５…信号源
６…第１センサ
７Ａ、７Ｂ…第２センサ
８…対象領域
９…プレゼンタ
１０…制御ユニット
１２…測定部
１４…判定部
１６…作成部
１７…出力部
１８…記憶部
【図１】
2013025014.tif 000003
【図２】
2013025014.tif 000004
【図３】
2013025014.tif 000005
【図４】
2013025014.tif 000006
【図５】
2013025014.tif 000007
【図６】
2013025014.tif 000008